(57)【要約】【課題】街路灯の下方側を効率良く照射することが可能な街路灯を提供する。【解決手段】本発明の街路灯２０では、ランプ５０から上方に放射された光が鏡面部３３で反射されて、街路灯２０の斜め下方側に向かうので、街路灯２０より下方側を従来のものより効率良く照射することができる。しかも、鏡面部３３で反射した光は放射状に広がるので、街路灯２０の水平方向に位置した樹木等も従来より効率良く照射される。つまり、本発明の街路灯２０によれば、上方を除いた街路灯２０の周り全体が従来より効率良く照射される。これにより、街路灯２０の周りにおける交通事故の防止や治安維持を図ることができる。また、街路灯２０の下方に丸い照射領域が形成され、路面を装飾する効果も奏する。さらに、反射角整用螺子３５の操作により、反射板３１群全体の傾きが均一に変更されるので、照射領域を容易に変更することができる。【選択図】図２
2004071490.tif 000002
【特許請求の範囲】
【請求項１】
街路灯用の支柱の上部に固定される透光ケースと、
前記透光ケースに収容された光源と、
前記光源の上方に配置されて、前記光源から放射された光をその光源から離れる側の斜め下方に向けて反射する鏡面部とを備えたことを特徴とする街路灯。
【請求項２】
前記鏡面部のうち前記光源の真上に位置した部分には、前記光源に向かって突出した山形の反射突部が設けられ、前記反射突部より外側に、平坦部を設けたことを特徴とする請求項１に記載の街路灯。
【請求項３】
前記鏡面部は、前記透光ケース内に収容されかつ少なくとも前記光源側を向いた面が鏡面仕上げされた反射板で構成されたことを特徴とする請求項１に記載の街路灯。
【請求項４】
前記透光ケースは、前記支柱に固定される側に下端開口を備えかつ前記下端開口より奥側が水平方向に膨出した構造をなし、
前記反射板は、前記下端開口を通過可能な略扇形又は略三角形に形成されて前記透光ケース内に複数収容され、それら反射板群が前記下端開口より大きな円盤状に組み立てられたことを特徴とする請求項３に記載の街路灯。
【請求項５】
前記反射板群で構成された円盤の中心には、前記光源に向かって先細り状に突出しかつ表面が鏡面仕上げされたコーン体が設けられたことを特徴とする請求項４に記載の街路灯。
【請求項６】
前記反射板群で構成された円盤の中心には、前記各反射板の一端が固定された支持板が設けられ、
前記支持板の中心には、前記コーン体の中心に下方から貫通した反射角調整用螺子が螺合され、
前記コーン体は、前記反射角調整用螺子のヘッド部に係止して上下方向で位置決めされると共に、前記コーン体の上端が、前記反射板群における前記支持板から離れた部分に当接されたことを特徴とする請求項５記載の街路灯。
【請求項７】
前記下端開口の縁部に固定されて上方に延びた複数の脚体を設け、それら脚体の上端部に前記支持板を固定したことを特徴とする請求項４乃至６の何れかに記載の街路灯。
【請求項８】
前記透光ケースの上部に貫通して固定されかつ、前記透光ケース内で下方に垂下した支持棒を設け、その支持棒の下端部に前記支持板を固定したことを特徴とする請求項４乃至６の何れかに記載の街路灯。
【発明の詳細な説明】
【０００１】
【発明の属する技術分野】
本発明は、支柱の上部に取り付けられる街路灯に関する。
【０００２】
【従来の技術】
公園や道路の縁部に起立した支柱の上部に取り付けられる街路灯として、例えば、図９に示した街路灯１が知られている。この街路灯１は、球状のガラス製グローブ２内のほぼ中心部分にランプ３を備える。また、グローブ２の上側半球面には、アルミ蒸着が施されて鏡面部４が形成され、これにより、上空に放射される光の害、即ち、光害を防いでいる。
【０００３】
【発明が解決しようとする課題】
しかしながら、上記した従来の街路灯１では、図９に示すように、鏡面部４が凹面鏡構造になっているので、ランプ３から受けた光の反射光がランプ３側に集光され、街路灯１より下方側を効率よく照射することができなかった。
【０００４】
そこで、本発明は、街路灯より下方側を効率良く照射することが可能な街路灯の提供を目的とする。
【０００５】
【課題を解決するための手段】
上記目的を達成するためになされた請求項１の発明に係る街路灯は、街路灯用の支柱の上部に固定される透光ケースと、透光ケースに収容された光源と、光源の上方に配置されて、光源から放射された光をその光源から離れる側の斜め下方に向けて反射する鏡面部とを備えたところに特徴を有する。
【０００６】
請求項２の発明は、請求項１に記載の街路灯において、鏡面部のうち光源の真上に位置した部分には、光源に向かって突出した山形の反射突部が設けられ、反射突部より外側に、平坦部を設けたところに特徴を有する。
【０００７】
請求項３の発明は、請求項１に記載の街路灯において、鏡面部は、透光ケース内に収容されかつ少なくとも光源側を向いた面が鏡面仕上げされた反射板で構成されたところに特徴を有する。
【０００８】
請求項４の発明は、請求項３に記載の街路灯において、透光ケースは、支柱に固定される側に下端開口を備えかつ下端開口より奥側が水平方向に膨出した構造をなし、反射板は、下端開口を通過可能な略扇形又は略三角形に形成されて透光ケース内に複数収容され、それら反射板群が下端開口より大きな円盤状に組み立てられたところに特徴を有する。
【０００９】
請求項５の発明は、請求項４に記載の街路灯において、反射板群で構成された円盤の中心には、光源に向かって先細り状に突出しかつ表面が鏡面仕上げされたコーン体が設けられたところに特徴を有する。
【００１０】
請求項６の発明は、請求項５記載の街路灯において、反射板群で構成された円盤の中心には、各反射板の一端が固定された支持板が設けられ、支持板の中心には、コーン体の中心に下方から貫通した反射角調整用螺子が螺合され、コーン体は、反射角調整用螺子のヘッド部に係止して上下方向で位置決めされると共に、コーン体の上端が、反射板群における支持板から離れた部分に当接されたところに特徴を有する。
【００１１】
請求項７の発明は、請求項４乃至６の何れかに記載の街路灯において、下端開口の縁部に固定されて上方に延びた複数の脚体を設け、それら脚体の上端部に支持板を固定したところに特徴を有する。
【００１２】
請求項８の発明は、請求項４乃至６の何れかに記載の街路灯において、透光ケースの上部に貫通して固定されかつ、透光ケース内で下方に垂下した支持棒を設け、その支持帽の下端部に支持板を固定したところに特徴を有する。
【００１３】
【発明の作用及び効果】
＜請求項１の発明＞
請求項１の街路灯では、光源から上方に放射された光を鏡面部で反射して、光源から離れる側の斜め下方に向けるので、街路灯の下方側を従来のものより効率良く照射することができる。
【００１４】
＜請求項２の発明＞
請求項２の街路灯では、光源から真上に向かった光は、山形の反射突部で反射して街路灯の斜め下方側に向かい、光源から斜め上方に向かった光は、平坦部で反射して街路灯の斜め下方側に向かう。これにより、街路灯の下方側の照射効率が向上する。
【００１５】
＜請求項３の発明＞
鏡面部は、透光ケース内に収容した反射板で構成してもよい（請求項３の発明）。また、それ以外の構成としては、透光ケースの上部に金属蒸着を施すことで鏡面部を構成することもできる。
【００１６】
＜請求項４の発明＞
請求項４の街路灯では、複数の反射板を、下端開口から透光ケース内に収容して内部で円盤状に組み立てることで、下端開口より大きな鏡面部を光源の上方に形成することができる。
【００１７】
＜請求項５の発明＞
請求項５の街路灯では、光源から真上に向かった光は、コーン体で反射して、街路灯の斜め下方に向かい、光源から斜め上方に向かった光は、反射板で反射して街路灯の斜め下方側に向かう。これにより、街路灯の下方側の照射効率が向上する。
【００１８】
＜請求項６の発明＞
請求項６の街路灯では、反射角調整用螺子の操作により、コーン体の上下の位置が変更され、そのコーン体の上端に当接した反射板群の反射角度が変更される。これにより、街路灯より下方の照射領域を変更することができる。
【００１９】
＜請求項７及び８の発明＞
支持板を固定する構造としては、下端開口の縁部に固定されて上方に延びた複数の脚体を設け、それら脚体の上端部に支持板を固定してもよいし（請求項７の発明）、透光ケースの上部に貫通して固定されかつ、透光ケース内で下方に垂下した支持棒の下端部に支持板を固定してもよい（請求項８の発明）。
【００２０】
【発明の実施の形態】
以下、本発明の実施形態を図１〜図６に基づいて説明する。
図１において符合１０は、街路灯用の支柱であって、地面から約４ｍの高さをなす。支柱１０の上面の外縁部からは、フランジ１１が側方に向けて張り出され、そのフランジ１１より下方には、図２に示すように杯状カバー１３が支柱１０の側面に取り付けられている。杯状カバー１３の上縁部は、フランジ１１より上方に迫り出しており、その杯状カバー１３の上縁部と次述するグローブ２１の下部とが密着され、それらグローブ２１と杯状カバー１３とを合わせた全体が球状になっている。
【００２１】
なお、杯状カバー１３とグローブ２１との当接部分には、図示しないゴム板が敷設されて隙間を塞いでいる。
【００２２】
支柱１０の上部には、本発明に係る街路灯２０が取り付けられている。街路灯２０は、ガラス製のグローブ２１（本発明の「透光ケース」に相当する）を備え、そのグローブ２１の内部空間のうち下方寄り位置にランプ５０（本発明の「光源」に相当する）を備える。
【００２３】
図１に示すように、ランプ５０は、下端側の口金５１を支柱１０の上面中心に設けた電球用ソケット１２にねじ込んで固定されている。そして、遠隔の地に備えた図示しないスイッチをオンオフ操作することで、ランプ５０の上端の発光部５３が点灯・消灯する。
【００２４】
ランプ５０は、口金５１と発光部５３との間に角筒部５２を備える。また、角筒部５２の上端からは、フランジ５４が側方に向けて張り出しており、そのフランジ５４の上面には、円板状の下面反射板５５が取り付けられている。下面反射板５５は、中心に矩形窓を備え、そこに発光部５３を挿通してフランジ５４上にねじ止めされている。下面反射板５５の上面には、鏡面仕上げが施されており、発光部５３から受けた光を後述する反射板３１に向けて反射する。
【００２５】
グローブ２１は、図２に示すように球殻体の下端部を略平坦な形状にした構造になっている。そのグローブ２１の下端部の中心には、例えば丸形の下端開口２３が形成されている。下端開口２３の縁部は、僅かに丸みを帯びて下方に若干突出しており、その下端開口２３の縁部を周方向を三等配する位置（図１参照）には、緩衝部材２４が取り付けられている。
【００２６】
緩衝部材２４は、平面形状が扇形（図１参照）をなしたゴムブロックの外側曲面から切れ込み（図２参照）を形成してなり、その切れ込みの内部に下端開口２３の縁部が差し込まれている。これにより、下端開口２３の縁部は、上下方向で緩衝部材２４に挟まれている。
【００２７】
緩衝部材２４は、挟持金具２５によって上下方向から挟まれている。詳細には、図１に示すように、挟持金具２５は、平面形状が扇形をなした３つの上側金具２６と、全体として円環状をなした１つの下側金具２７とで構成されている。そして、上下の金具２６，２７で緩衝部材２４を挟んだ状態にして、それら上下の金具２６，２７の内縁部を貫通したボルト２５Ｂの先端にナットを螺合することで、緩衝部材２４と共に下端開口２３の縁部を挟持している。
【００２８】
図２に示すように、挟持金具２５は、フランジ１１上に敷設され、フランジ１１の外縁寄り位置に形成した貫通孔にフランジ１１の下面からボルトを通し、そのボルトを挟持金具２５（詳細には、下側金具２７）に螺合することで、街路灯２０が支柱１０の上部に固定される。なお、フランジ１１には、前記上下の金具２６，２７を締め付けたボルト２５Ｂとの干渉を避ける逃がし孔が形成されている。
【００２９】
挟持金具２５のうち各上側金具２６の上面には、それぞれ支持脚体２８が取り付けられている。支持脚体２８は、図１に示すように、上下方向に延びた帯板の両端部を互いに対向するように直角曲げしてなり、全体として「コ」の字形状になっている。それら各支持脚体２８の下辺部分２８Ｄは、上側金具２６の上面にねじ止め固定され、各支持脚体２８の上辺部分２８Ｕが、ランプ５０の上方位置でグローブ２１の中心に向かって延びた状態となっている。そして、それら上辺部分２８Ｕの下面に支持板２９がねじ止め固定されている。
【００３０】
図３に示すように、支持板２９は、例えば、平面形状が１２角形をなしており、図５に示すように、支持板２９の下面には、周方向の全体に亘って１２枚の反射板３１が取り付けられる。そのために、支持板２９の１２角形の各頂角近傍には下方に向けて例えばリベット３０（図５参照）が垂下されている。
【００３１】
各反射板３１は、図４に示すように、例えば、全体として略扇形をなしかつ、表面が鏡面仕上げされている。また、反射板３１の幅狭の先端部には取付孔３２が貫通形成されている。取付孔３２は、丸孔部３２Ａと長孔部３２Ｂとを連続形成してなり、丸孔部３２Ａにリベット３０のヘッド部を通して、反射板３１が支持板２９の下面に密着され、その状態で、支持板２９の中心軸回りに反射板３１を回転させると、リベット３０が長孔部３２Ｂの奥部に移動して、長孔部３２Ｂの縁部にリベット３０のヘッド部が係止し、これにより反射板３１が支持板２９に固定される。そして、１２枚の全ての反射板３１を支持板２９に取り付けると、全体として円盤状をなした鏡面部３３が構成される。
【００３２】
なお、反射板３１のうち取付孔３２の近傍には、隣のリベット３０との干渉を避けるための逃がし溝３２Ｃが形成されている。さらに、反射板３１における長手方向の中間部分には、支持脚体２８との干渉を避けるためのスリット３２Ｄが形成されている。
【００３３】
支持板２９には、反射板３１の下方からコーン体３４（本発明の「コーン体」及び「反射突部」に相当する）が取り付けられる。コーン体３４の表面には鏡面仕上げが施され、コーン体３４の頂点には、貫通孔が形成されている。コーン体３４は、頂点を下方に向けた状態で、頂点の貫通孔に下方から反射角整用螺子３５が通される。そして、反射角整用螺子３５のヘッド部にコーン体３４が係止した状態で、反射角整用螺子３５の上端部が支持板２９の中心部に形成した螺子孔２９Ｎ（図３参照）に螺合され、これにより、反射角整用螺子３５の螺合深さに応じて、コーン体３４が支持板２９に対して上下動する。また、コーン体３４の上端は、反射板３１群における支持板２９から離れた位置に当接されている。これにより、反射板３１の自重による撓みを規制すると共に、コーン体３４の上下方向の位置に応じて、反射板３１群の傾きを変更することができる。
【００３４】
次に、上記構成からなる本実施形態の動作を説明する。
街路灯２０は、支柱１０の上部に取り付けられ、地上から約４ｍの上方に位置している。そして、周囲が暗くなると、図示しないスイッチがオンされて、ランプ５０が点灯する。すると、ランプ５０から水平方向に向かった光が、グローブ２１を通り抜けて周囲を照らし、街路灯２０の周り全体が明るくなる。このとき、ランプ５０から上方に向かった光の多くは、図２に示すように、反射板３１及びコーン体３４によって遮断されて、上空に光が放射されることが規制され、光害が防がれる。
【００３５】
なお、反射板３１の外側に外れて上方に向かう光もあるが、そのような光は緩やかな角度で上方に向かうので、上方に到達したときには光度が小さくなり、実害は少ない。
【００３６】
ここで、反射板３１及びコーン体３４には、鏡面仕上げが施されているので、ランプ５０から反射板３１及びコーン体３４に照射された光は、斜め下方に向けて反射される。詳細には、ランプ５０から真上に向かった光は、コーン体３４で反射して、水平方向においてランプ５０から離れる側の斜め下方に向かい、グローブ２１を透過して街路灯２０の斜め下方を照射する。また、ランプ５０から斜め上方に向かった光は、反射板３１で反射してやはり水平方向においてランプ５０から離れる側の斜め下方に向かい、グローブ２１を透過して街路灯２０の斜め下方を照射する。さらに、ランプ５０から比較的緩やかに斜め下方に向かった光は、直にグローブ２１を通過して街路灯２０の下方を照射する一方、ランプ５０から比較的大きな角度で下方に向かった光は、下面反射板５５で反射して上方の反射板３１に向かい、その反射板３１で斜め下方に向けられて、やはり街路灯２０の下方を照射する。
【００３７】
このように本実施形態の街路灯２０では、ランプ５０から上方に放射された光が鏡面部３３（反射板３１、コーン体３４）で反射されて、街路灯２０の斜め下方側に向かうので、街路灯２０より下方側を、従来のものより効率良く照射することができる。しかも、鏡面部３３で反射した光は放射状に広がるので、街路灯２０の水平方向に位置した樹木等も従来より効率良く照射される。つまり、本実施形態の街路灯２０によれば、上方を除いた街路灯２０の周り全体が従来より効率良く照射される。これにより、街路灯２０の周りにおける交通事故の防止や治安維持を図ることができる。また、街路灯２０の下方に丸い照射領域が形成され、路面を装飾する効果も奏する。さらに、反射角整用螺子３５の操作により、反射板３１群全体の傾きが均一に変更されるので、照射領域を容易に変更することができる。
【００３８】
次に、上記した街路灯２０と同一の構成の本発明の実施例と従来の街路灯（比較例）との照度実験の結果について説明する。実験方法としては、実施例及び比較例の街路灯を、図６に示した路上近傍に設けた支柱Ｐ１の上部に交換して取り付け、同図において丸で囲んだ番号の各位置で照度を測定した。なお、図には、測定位置の代表点のみを示してあり、３１箇所で測定を行った。それら３１箇所における測定結果は表１に示す通りであり、測定結果から求めた照明効率、省エネ効率等は表２に示す通りであった。なお、図６において、Ｒは幅８メートルの道路、Ｇは植え込み、Ｚは横断歩道、Ｓは階段である。
【００３９】
【表１】
2004071490.tif 000003
【００４０】
【表２】
2004071490.tif 000004
【００４１】
表１に示されているように、実施例の街路灯の方が比較例よりも一様に高い照度を得た。また、照明効率や省エネ効果においても実施例の街路灯の方が比較例より優れていた。
【００４２】
＜他の実施形態＞
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
（１）前記実施形態では、グローブ２１の下端開口２３の縁部から起立した支持脚体２８によって支持板２９を支持した構成であったが、図７に示すように、グローブ２１の上部に支持棒３６の上端部を貫通して固定することで、グローブ２１内に支持棒３６を垂下し、その支持棒３６の下端部に支持板２９を固定した構成にしてもよい。
【００４３】
（２）前記実施形態では、グローブ２１の内部に反射板３１を設けた構成であったが、グローブ２１の上部を略平坦な形状にして、そこに金属蒸着を施すことで鏡面部を構成してもよい。具体的には、図８に示すように、前記実施形態で説明したグローブ２１の上部に、全体的に平坦な天井壁６０を形成しかつ、その天井壁６０の中心部分にランプ５０に向かって先細りになるように山形の反射突部６１を設けた構成にしておく。そして、天井壁６０の全体、即ち、反射突部６１とその周りの平坦部６２とに、金属蒸着を施して鏡面仕上げを施した構成にしてもよい。この構成によれば、ランプ５０から真上に向かった光は、反射突部６１で反射して街路灯の斜め下方側に向かい、ランプ５０から斜め上方に向かった光は、反射突部６１の外側の平坦部６２で反射して街路灯の斜め下方側に向かう。
【図面の簡単な説明】
【図１】本発明の実施形態における街路灯の分解斜視図
【図２】その街路灯の部分断面図
【図３】支持板と反射板とを組み付けた状態の平面図
【図４】反射板の平面図
【図５】支持板と反射板とを組み付けた状態の側断面図
【図６】実験方法を示す街路灯及び測定点の配置図
【図７】街路灯の変形例１を示す側断面図
【図８】街路灯の変形例２を示す側断面図
【図９】従来の街路灯の側断面図
【符号の説明】
１０…支柱
２０…街路灯
２１…グローブ（透光ケース）
２３…下端開口
２８…支持脚体
２９…支持板
３３…鏡面部
３４…コーン体
３５…反射角整用螺子
３６…支持棒
５０…ランプ
６１…反射突部
６２…平坦部
【図１】
2004071490.tif 000005
【図２】
2004071490.tif 000006
【図３】
2004071490.tif 000007
【図４】
2004071490.tif 000008
【図５】
2004071490.tif 000009
【図６】
2004071490.tif 000010
【図７】
2004071490.tif 000011
【図８】
2004071490.tif 000012
【図９】
2004071490.tif 000013